(57)【要約】【課題】部品点数を削減することでコストアップを抑えた照明器具を提供する。【解決手段】照明器具Ａは、ＬＥＤ２２２が実装される基板２２と、基板２２が取り付けられる取付部材２１とを備える。取付部材２１は、基板２２が取り付けられる底面２１１ｂと、基板２２を底面２１１ｂ側に押圧して固定するかしめ部２１１ｆとを有する。本構成によれば、かしめ部２１１ｆによって基板２２を取付部材２１に取り付けることができ、基板２２を取付部材２１に取り付けるためのねじが不要であることから、その分部品点数を削減することができ、コストアップを抑えることができる。【選択図】図１
2014112490.tif 000002
【特許請求の範囲】
【請求項１】
ＬＥＤが実装される基板と、前記基板が取り付けられる取付部材とを備え、
前記取付部材は、前記基板が取り付けられる取付面と、前記基板を前記取付面側に押圧して固定するかしめ部とを有することを特徴とする照明器具。
【請求項２】
前記基板と前記かしめ部との間に介在する弾性部材を備えることを特徴とする請求項１記載の照明器具。
【請求項３】
前記弾性部材は、前記基板と反対側の面が反射面であるシートからなることを特徴とする請求項２記載の照明器具。
【請求項４】
前記基板は矩形板状であって、前記ＬＥＤが前記基板の長手方向に沿って複数実装されており、前記かしめ部は前記基板の長辺に沿って設けられ、前記かしめ部において前記基板の短辺と反対側の部位を前記ＬＥＤ側に折り曲げることで前記基板が前記取付部材に固定されることを特徴とする請求項１〜３の何れか１項に記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、横長且つ長尺状に形成された器具本体と、係止部材を用いて器具本体に取り付けられる光源部とを備え、器具本体の略中央部には光源部を収容するための収容凹部が全長に亘って設けられている。また光源部は、器具本体と同様に横長且つ長尺状に形成された取付部材と、複数の発光素子がそれぞれ実装され取付部材の下面に取り付けられる複数の基板と、複数の基板を覆うようにして取付部材に取り付けられるカバー部材とを有する。そして、一体に組み付けられた光源部は、その一部が器具本体の収容凹部に収容された状態で係止部材を用いて器具本体に取り付けられる。
【先行技術文献】
【特許文献】
【０００３】
【特許文献１】特開２０１２−３９９３号公報
【発明の概要】
【発明が解決しようとする課題】
【０００４】
上述の特許文献１に示した照明器具では、基板を取付部材に取り付ける際にねじを用いているため、その分部品点数が増加しコストアップになっていた。
【０００５】
本発明は上記問題点に鑑みて為されたものであり、その目的とするところは、部品点数を削減することでコストアップを抑えた照明器具を提供することにある。
【課題を解決するための手段】
【０００６】
本発明の照明器具は、ＬＥＤが実装される基板と、基板が取り付けられる取付部材とを備える。取付部材は、基板が取り付けられる取付面と、基板を取付面側に押圧して固定するかしめ部とを有する。
【０００７】
この照明器具において、基板とかしめ部との間に介在する弾性部材を備えるのが好ましい。
【０００８】
また、この照明器具において、弾性部材は、基板と反対側の面が反射面であるシートからなるのも好ましい。
【０００９】
さらに、この照明器具において、基板は矩形板状であって、ＬＥＤが基板の長手方向に沿って複数実装されており、かしめ部は基板の長辺に沿って設けられ、かしめ部において基板の短辺と反対側の部位をＬＥＤ側に折り曲げることで基板が取付部材に固定されるのも好ましい。
【発明の効果】
【００１０】
取付部材に設けられたかしめ部によって基板を取付部材に取り付けることができ、基板を取付部材に取り付けるためのねじが不要であることから、その分部品点数を削減することができ、コストアップを抑えることができるという効果がある。
【図面の簡単な説明】
【００１１】
【図１】本実施形態の照明器具の要部を示し、（ａ）は斜視図、（ｂ）、（ｃ）は平面図である。
【図２】同上の分解斜視図である。
【図３】同上の全体斜視図である。
【図４】同上の断面図である。
【図５】同上の別の要部を示す断面図である。
【発明を実施するための形態】
【００１２】
以下に、照明器具Ａの実施形態について図１〜図５を参照して説明する。なお、以下の説明では特に断りがない限り、図４に示す向きにおいて上下左右の方向を規定し、さらに図４中の紙面に垂直な方向を前後方向と規定して説明を行う。
【００１３】
本実施形態の照明器具Ａは、図４に示すように天井直付け型の照明器具であって、吊ボルト２００を用いて天井材１００に取り付けられる器具本体１と、器具本体１に対して着脱自在に取り付けられる光源ユニット２とを備える。
【００１４】
器具本体１は、図２及び図３に示すように、板金に曲げ加工を施すことで長尺且つ上面（天井材１００との対向面）が開口する扁平な箱状に形成され、天井材１００と反対側（つまり下側）には光源ユニット２を収容するための矩形の凹部１１が器具本体１の全長に亘って設けられている。また、器具本体１の左右方向（幅方向）において凹部１１の両側には、凹部１１の開口端縁から延出し且つ外側に行くほど上側（天井材１００側）に傾斜する傾斜面１２，１２がそれぞれ設けられている（図４参照）。
【００１５】
また、凹部１１の底面部１１１には、電線を通すための孔１１１ａが前後方向（長手方向）に沿って複数（図２では５個）設けられ、さらに吊ボルト２００を通すための孔１１１ｂが前後方向における両側にそれぞれ２個ずつ設けられている。さらに、器具本体１の前後方向における両端部には、エンドキャップ３がそれぞれ取り付けられている（図２及び図３参照）。
【００１６】
光源ユニット２は、図２に示すように、複数（図２では２個）の基板２２と、基板２２が取り付けられる取付部材２１と、基板２２を覆うようにして取付部材２１に取り付けられるカバー部材２３と、基板２２に対して所定の点灯電力を供給する電源装置２４と、端子台ブロック２５とを有する。
【００１７】
基板２２は、前後方向に長い矩形板状に形成されたプリント基板２２１からなり、プリント基板２２１の一面（図２中の下面）には複数のＬＥＤ（発光ダイオード）２２２が前後方向（長手方向）に沿って実装されている。また、基板２２において前後方向に沿う両長辺には、図１（ａ）〜図１（ｃ）に示すように、矩形の溝２２１ａが前後方向に沿って複数設けられている。この溝２２１ａは、後述のかしめ部２１１ｆを逃がすためのものであり、各かしめ部２１１ｆにそれぞれ対応する位置に設けられている。
【００１８】
また、一方（図２中の右側）の基板２２の一端部（右端部）には、電源装置２４との間を電気的に接続するためのコネクタ２２３が実装されている。このコネクタ２２３には電線（図示せず）が接続されており、この電線の端部を電源装置２４に接続することで基板２２と電源装置２４とが電気的に接続される。さらに、各基板２２において隣接する基板２２と対向する端部には、電源供給用のコネクタ２２４がそれぞれ実装されている。そして、両基板２２，２２のコネクタ２２４，２２４を接続することで、一方（図２中の右側）の基板２２から他方（図２中の左側）の基板２２に電源を供給することができる。
【００１９】
取付部材２１は、図２に示すように、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。底面部２１１の略中央部には、基板２２を収容するための凹部２１１ａが全長に亘って設けられている。また、各側面部２１２の先端には、互いに離れる方向に傾斜する傾斜部２１２ａがそれぞれ全長に亘って設けられている（図４参照）。
【００２０】
凹部２１１ａの底面２１１ｂには、基板２２と電源装置２４とを電気的に接続する上記電線を通すための孔２１１ｄが前後方向（長手方向）における一端部（図２中の右端部）に設けられている。また、底面２１１ｂの前後方向における略中央部には、底面２１１ｂの一部を上向きに突出させることで形成された矩形の凹部２１１ｅが設けられている。この凹部２１１ｅは、両基板２２，２２を取付部材２１に取り付けた状態で、コネクタ２２４と底面２１１ｂとの間の絶縁距離を確保するためのものである。
【００２１】
また、底面２１１ｂの左右方向における両端側には、図１（ａ）〜図１（ｃ）に示すように、底面２１１ｂに載置させた基板２２を幅方向から固定するためのかしめ部２１１ｆが前後方向に沿って複数設けられている。このかしめ部２１１ｆは、底面２１１ｂの一部を切り起こすことで形成され、先端側を内側（ＬＥＤ２２２側）に折り曲げることで底面２１１ｂとの間に基板２２を挟みこんで固定する。ここに、凹部２１１ａの両側面２１１ｃ，２１１ｃは、図４に示すように、底面２１１ｂの左右方向における両端から下向きに延出し、且つ下側に行くほど左右両側に拡がる傾斜面となっている。また本実施形態では、凹部２１１ａの底面２１１ｂにより取付面が構成されている。
【００２２】
カバー部材２３は、拡散性を有する材料（例えば乳白色のアクリル樹脂）により上面（取付部材２１側の面）が開口する長尺状に形成され、左右方向（幅方向）において両端側から中央側に行くほど下側への突出量が大きくなるような凸レンズ形状の拡散面２３１を有している（図４参照）。また、カバー部材２３の左右方向における両端部には、図４に示すように、光源ユニット２を器具本体１に取り付けた状態で、上下方向において器具本体１の凹部１１の開口端縁と重なる延出部２３２がそれぞれ設けられている。また、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００２３】
電源装置２４は、基板２４１と、基板２４１を収納するための収納ケース２４２とを有する。基板２４１は、前後方向に長い矩形板状に形成されたプリント基板２４１ａからなり、このプリント基板２４１ａには、少なくともＬＥＤ２２２の点灯電力を生成するために必要な回路部品（例えばトランスやダイオード、コンデンサなど）２４１ｂが実装されている。収納ケース２４２は、図４に示すように、一面（取付部材２１の底面部２１１との対向面）が開口し且つ前後方向に長い矩形箱状に形成されており、開口側が取付部材２１の底面部２１１と対向するようにして、例えばねじなどを用いて取付部材２１に取り付けられる。
【００２４】
端子台ブロック２５は、矩形箱状に形成された端子台２５１と、端子台２５１を取付部材２１に取り付けるための取付金具２５２とを有する。端子台２５１には、天井材１００を通して室内側（下側）に露出する電源線（図示せず）が接続され、且つ電源装置２４との間を電気的に接続する電線（図示せず）が接続される。この端子台ブロック２５は、例えばねじなどを用いて取付部材２１に取り付けられる。
【００２５】
ここで、図１（ａ）は基板２２を取付部材２１に取り付けた状態を示す斜視図であり、図１（ｂ）及び図１（ｃ）は基板２２を取付部材２１に取り付けた状態を示す平面図である。基板２２を取付部材２１に取り付ける際には、基板２２に設けた溝２２１ａと取付部材２１に設けたかしめ部２１１ｆの位置を合わせた状態で、基板２２を凹部２１１ａの底面２１１ｂに載置する。そして、かしめ部２１１ｆにおいて基板２２の近い方の短辺と反対側の部位を内側（ＬＥＤ２２２側）に折り曲げると、底面２１１ｂとかしめ部２１１ｆの折り曲げ部位との間で基板２２が挟持され、基板２２が取付部材２１に取り付けられる。ここに本実施形態では、かしめ部２１１ｆにおいて基板２２の短辺と反対側の部位を折り曲げているが、これにより折り曲げ部位に向けて照射されるＬＥＤ２２２からの光を基板２２の端部（基板２２の短辺側の端部）側に反射することができるので、基板２２の端部側への光量を増加させることができる。
【００２６】
次に、光源ユニット２の組立手順について説明する。まず最初に、作業者は、電源装置２４及び端子台ブロック２５をそれぞれ取付部材２１の上面側に取り付け、さらに電源装置２４と端子台ブロック２５の間を電線により接続する。次に、作業者は、取付部材２１の底面部２１１に設けた凹部２１１ａの底面２１１ｂに基板２２を載置し、かしめ部２１１ｆの先端側を内側（ＬＥＤ２２２側）に折り曲げて基板２２を底面２１１ｂに固定する。
【００２７】
さらに、作業者は、基板２２のコネクタ２２３から導出する電線を取付部材２１に設けた孔２１１ｄに通した後、その端部を電源装置２４に接続する。そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２にそれぞれ設けた傾斜部２１２ａと係合し、カバー部材２３が取付部材２１に取り付けられる。以上のような手順に従って、光源ユニット２が組み立てられる。
【００２８】
続けて、照明器具Ａの施工手順について説明する。まず最初に、作業者は、室内側に露出する上記電源線を器具本体１に設けた孔１１１ａに通し、さらに天井材１００を通して室内側に露出する吊ボルト２００を孔１１１ｂに通した後、吊ボルト２００にナット３００をねじ込んで器具本体１を天井材１００に固定する。次に、作業者は、上記電源線を端子台２５１に接続し、少なくとも電源装置２４及び端子台ブロック２５が凹部１１に収容されるようにして、例えば器具本体１及び取付部材２１にそれぞれ設けた嵌合構造（図示せず）により光源ユニット２を器具本体１に取り付ける。以上のような手順に従って、照明器具Ａが天井に施工される（図３及び図４参照）。
【００２９】
図５は、基板２２を取付部材２１に取り付けた状態を示す別の断面図であり、本例では、取付部材２１の凹部２１１ａの底面２１１ｂに取り付けられた基板２２の実装面（図５中の上面）と、底面部２１１の表面とに跨るようにしてシート２６が取り付けられている。このシート２６は、弾性を有する材料（例えばポリエチレンテレフタラートなど）からなる厚みの薄いフィルム状であり、シート２６の下面（図５中の上面、基板２２と反対側の面）は反射面となっている。つまり、ＬＥＤ２２２から放射された光をシート２６の反射面で反射させて所定の照明領域に照射することができ、これにより照明領域への光量を増加させることができる。また本例では、かしめ部２１１ｆの折り曲げ部位と基板２２の間にシート２６を介在させており、シート２６の有する弾性力によって取付部材２１と基板２２の密着度を高めることができる。ここに本実施形態では、シート２６により弾性部材が構成されている。
【００３０】
而して本実施形態によれば、取付部材２１の一部を切り起こすことで形成したかしめ部２１１ｆによって基板２２を取付部材２１に取り付けることができ、基板２２を取付部材２１に取り付けるためのねじが不要であることから、その分部品点数を削減することができ、コストアップを抑えることができる。
【００３１】
なお本実施形態では、図５に示すように、基板２２の実装面と取付部材２１の底面部２１１の表面とに跨るようにして取り付けたシート２６を弾性部材としたが、かしめ部２１１ｆの折り曲げ部位と基板２２に対して弾性力を与えられるものであればよく、シート２６に限定されない。また本実施形態では、天井直付け型の照明器具を例に説明したが、他の照明器具に本発明の構成を適用してもよく、天井直付け型の照明器具に限定されない。
【符号の説明】
【００３２】
２１  取付部材
２２  基板
２１１ｂ  底面（取付面）
２１１ｆ  かしめ部
２２２  ＬＥＤ
Ａ  照明器具
【図１】
2014112490.tif 000003
【図２】
2014112490.tif 000004
【図３】
2014112490.tif 000005
【図４】
2014112490.tif 000006
【図５】
2014112490.tif 000007